(57)【要約】【課題】航空機等の複数の座席に、ネットワーク伝送路を通じて映画やゲームなどを配信するＶＯＤサービスにおいて、携帯端末の利用を可能にする。【解決手段】座席端末４ｍの携帯端末用端子４８ａに接続された携帯端末９の映画などの映像・音声情報は、エンコーダ４７により、ＶＯＤサービスと同一圧縮形式で圧縮され、映像情報は、伝送路２により前部座席の座席端末４ｎに伝送される。映像情報は前部座席の座席端末４ｎの映像デコーダ４４によりをデコードされ、映像表示部６ｎで表示される。また、音声情報は、自座席の音声デコーダ４５でデコードされ、映像の遅延時間だけ遅延してヘッドホン７ｍで聴取される。【選択図】図２
2011135117.tif 000002
【特許請求の範囲】
【請求項１】
圧縮映像データおよび音声データを含んだ配信用のＡＶコンテンツを蓄積したＶＯＤサーバと、
背部に映像表示部が配設され、前後に配列された複数の座席と、
前記座席のそれぞれに配設され、前記ＶＯＤサーバと伝送路を介して接続されるとともに、配信された前記ＡＶコンテンツを蓄積する映像音声蓄積部および映像デコーダを内蔵した座席端末と、
前記座席端末に接続されたコントローラと、
前記座席端末に接続されたヘッドホンとを備え、
乗客が着座した自座席の前記コントローラにより所定のＡＶコンテンツを選択した場合、前記所定のＡＶコンテンツが前記ＶＯＤサーバから前記伝送路を経由して自座席の前記座席端末に配信され、
自座席の前記コントローラによる乗客の指示に基づいて、自座席の前記座席端末の前記映像音声蓄積部から読み出された前記ＡＶコンテンツの前記圧縮映像データは前記伝送路を経由して前部座席の前記座席端末に伝送され、前記映像デコーダによりデコードされて前記映像表示部に表示され、前記ＡＶコンテンツの音声データは自座席の前記ヘッドホンで聴取されるＡＶコンテンツ視聴システムであって、
座席の肘掛部に携帯端末から映像信号および音声信号を前記座席端末に取り込むための入力端子を備え、
前記入力端子から取り込まれた前記音声信号は自座席の前記ヘッドホンに出力され、
前記入力端子から取り込まれた前記映像信号は自座席の前記座席端末で映像データに変換されて、前記伝送路を経由して前部座席の前記座席端末に伝送され、前記映像表示部に表示されることを特徴とするＡＶコンテンツ視聴システム。
【請求項２】
前記座席端末は、映像信号を圧縮するエンコーダをさらに含み、
前記入力端子から取り込まれた前記映像信号は前記エンコーダで圧縮され、圧縮された圧縮映像データは前記伝送路を経由して前部座席の前記座席端末に伝送され、前記座席端末でデコードされて前記映像表示部に表示されることを特徴とする請求項１に記載のＡＶコンテンツ視聴システム。
【請求項３】
前記エンコーダは前記入力端子から取り込まれた映像信号を前記ＶＯＤサーバに蓄積された前記圧縮映像データと同じ圧縮形式で圧縮することを特徴とする請求項２に記載のＡＶコンテンツ視聴システム。
【請求項４】
前記座席端末は、前記入力端子から取り込まれた映像信号と前記ＶＯＤサーバより配信された映像信号とを合成する映像合成部をさらに含み、
前記映像合成部で合成された映像データは前記エンコーダで圧縮され、圧縮された圧縮映像データは前記伝送路を経由して前部座席の前記座席端末に伝送され、前記座席端末でデコードされて前記映像表示部に２画面で表示されることを特徴とする請求項１に記載のＡＶコンテンツ視聴システム。
【請求項５】
前記映像表示部で表示される映像と前記ヘッドホンで聴取される音声が同期するように自座席の前記座席端末で前記音声データを遅延させて前記ヘッドホンに出力することを特徴とする請求項１〜４のいずれか１項に記載のＡＶコンテンツ視聴システム。
【請求項６】
前記座席端末は前記伝送路を経由して伝送される音声と前記携帯端末から取り込まれた音声を切換えて前記ヘッドホンに出力することを特徴とする請求項１〜請求項５のいずれか１項に記載のＡＶコンテンツ視聴システム。
【請求項７】
航空機に搭載されたＡＶコンテンツ視聴システムであって、前記伝送路を経由して伝送される音声は機内アナウンスであることを特徴とする請求項６に記載のＡＶコンテンツ視聴システム。
【発明の詳細な説明】
【技術分野】
【０００１】
本発明は、航空機などの旅客移動体の客室内において各座席に搭載、配備されて、映画、音楽などのＡＶ（オーディオビジュアル）ソフトやゲームソフトを視聴するＡＶコンテンツ視聴システムに関している。
【背景技術】
【０００２】
近年、航空機などの旅客移動体においては、機内または客室内に搭載、配備されているＩＦＥ（Ｉｎ−Ｆｌｉｇｈｔ  Ｅｎｔｅｒｔａｉｎｍｅｎｔ）と呼ばれる機内エンターテインメントシステムにより、乗客に種々の機内サービスが提供されている。機内サービスとしては、例えば、乗客は配信される映画や音楽などを各座席のバックシートに備えられている液晶表示装置の映像表示部や、搭乗時に配布されるヘッドホンを使用して視聴することができるほか、同様に各座席の肘掛部に備え付けられているハンドセットと呼ばれる操作用端末などを用いてゲームをしたり、航空機外部へ電話をかけたり、インターネットへの接続サービスを受けたりすることが可能なシステムも提供されている（例えば、特許文献１、特許文献２参照）。これらのサービスは機内に配備されているＶＯＤ（Ｖｉｄｅｏ  Ｏｎ  Ｄｅｍａｎｄ）サーバからネットワーク伝送路を通じて各座席に設けた座席端末（ＩＦＥ）へデジタルデータで伝送される。
【０００３】
以下、従来の航空機内におけるＡＶコンテンツ視聴システムについて図５を用いて説明する。図５は従来のＡＶコンテンツ視聴システム２００の全体構成を示す図である。
【０００４】
ＡＶコンテンツ視聴システム２００は、複数の座席１ｍ、１ｎに沿ってネットワーク伝送路２が配設されていて、このネットワーク伝送路（以下、「伝送路」という）２は、ＶＯＤサーバ３に接続されている。ＶＯＤサーバ３は、映画やゲームなどの映像と音声からなるＡＶコンテンツを提供する。さらに、必要に応じて飛行情報等も提供できる構成となっている。
【０００５】
伝送路２はイーサネット（登録商標）ケーブルで構成されており、この伝送路２には座席ごとに座席端末１４ｍ、１４ｎが接続されている。また、それぞれの座席の背部には液晶ディスプレイ等の映像表示部６ｍ、６ｎが配設され、座席の肘掛部にはコントローラ５ｍ、５ｎとヘッドホン７ｍ、７ｎが接続されている。これらの機器は座席端末１４ｍ、１４ｎを介して前述のＶＯＤサーバ３と通信可能に接続されている。
【０００６】
また、乗務員室８においてマイクロホン８ａが、アナログ音声信号をデジタル音声パケットに変換してイーサネット（登録商標）に接続するためのＩＰ（Ｉｎｔｅｒｎｅｔ  Ｐｒｏｔｏｃｏｌ）アダプタ８ｂを介して伝送路２に接続されている。
【０００７】
このマイクロホン８ａと同様のものはコックピットにも設置され（図示省略）、客室乗務員および機長はそれぞれマイクロホンを用いて乗客に対して機内アナウンス等を行う。
【０００８】
このような構成において、例えば、座席１ｍに着座した乗客がコントローラ５ｍを操作して見たい映画を選ぶと、その映画の映像および音声は、ＶＯＤサーバ３から乗客の前部の座席１ｎの座席端末１４ｎにダウンロードされ蓄積される（予め複数のコンテンツが座席端末に蓄積されている場合もある）。
【０００９】
乗客が選んだ映画の映像は、前部の座席１ｎの映像表示部６ｎに表示されるが、音声は、座席端末１４ｎから後方の座席端末１４ｍに伝送路２を介してデジタルデータ（音声パケット）で伝送され、座席端末１４ｍにおいて復調され元のアナログ音声信号に戻される。乗客はこのアナログ音声をヘッドホン７ｍで聴くことができる。
【００１０】
上述した客室乗務員や機長からの機内アナウンスも座席１ｍの座席端末１４ｍを介してヘッドホン７ｍで聞くことができる構成である。機内アナウンスは、天井に設けたスピーカからも聞くことができるようになっているが、ヘッドホン７ｍを映画等で利用している乗客は、スピーカからのアナウンスを聞き取れない。このため、機内アナウンスは、伝送路２を介して座席端末１４ｍに伝送され、座席端末内において、映画の音声を自動的に切換えてヘッドホン７ｍで聞ける構成にしている。
【特許文献１】特開平７−１４３０８３号公報
【特許文献２】特開２００６−２４６２９７号公報
【発明の開示】
【発明が解決しようとする課題】
【００１１】
しかしながら、上述したような航空機内における従来のＡＶコンテンツ視聴システムでは、乗客は、ＶＯＤサーバ３に収納されたＡＶコンテンツのサービスしか受けられない。ＶＯＤサーバ３には収納容量に限界があるので、繰り返しＶＯＤサービスを利用する乗客は、鑑賞するコンテンツがなくなったり、乗客によっては、興味あるコンテンツがなかったりといった問題が発生する。
【００１２】
また、近年、屋外や移動体内でビデオやオーディオを楽しめる携帯端末が普及しつつある。この携帯端末の記憶部（ハードディスクや半導体メモリ）には予めＡＶコンテンツの圧縮データが保存されている。例えば、携帯端末の利用者は外出前に自分の好みのＡＶコンテンツをＰＣ等から携帯端末にダウンロードしてから持ち出す。
【００１３】
このような携帯端末を乗客が機内に持ち込んで利用する場合は、乗客は携帯端末に付属のヘッドホンを使用しているため、機内アナウンスがある場合は、これを聞き漏らす可能性が大きい。また、ＶＯＤサービスを視聴するための大きな液晶ディスプレイが折角目の前にあるにもかかわらず、このディスプレイを使用することができず、携帯端末の小さな画面で映像を鑑賞することになり不便である。
【００１４】
本発明は、上述したような課題を解決するためになされたものであり、航空機などの旅客移動体において、既存のＶＯＤサービスシステムを運用しながら、既設の機器を有効に活用して携帯端末からのＡＶコンテンツも視聴可能にし、サービス内容を拡充させることのできるＡＶコンテンツ視聴システムを提供することを目的としている。
【課題を解決するための手段】
【００１５】
上記目的を達成するために、本発明のＡＶコンテンツ視聴システムは、圧縮映像データおよび音声データを含んだ配信用のＡＶコンテンツを蓄積したＶＯＤサーバと、背部に映像表示部が配設され、前後に配列された複数の座席と、座席のそれぞれに配設され、ＶＯＤサーバと伝送路を介して接続されるとともに、配信されたＡＶコンテンツを蓄積する映像音声蓄積部および映像デコーダを内蔵した座席端末と、座席端末に接続されたコントローラと、座席端末に接続されたヘッドホンとを備え、乗客が着座した自座席のコントローラにより所定のＡＶコンテンツを選択した場合、所定のＡＶコンテンツがＶＯＤサーバから伝送路を経由して自座席の座席端末に配信され、自座席のコントローラによる乗客の指示に基づいて、自座席の座席端末の映像音声蓄積部から読み出されたＡＶコンテンツの圧縮映像データは伝送路を経由して前部座席の座席端末に伝送され、映像デコーダによりデコードされて映像表示部に表示され、ＡＶコンテンツの音声データは自座席のヘッドホンで聴取されるＡＶコンテンツ視聴システムであって、座席の肘掛部に携帯端末から映像信号および音声信号を座席端末に取り込むための入力端子を備え、入力端子から取り込まれた音声信号は自座席のヘッドホンに出力され、入力端子から取り込まれた映像信号は自座席の座席端末で映像データに変換されて、伝送路を経由して前部座席の座席端末に伝送され、映像表示部に表示されることを特徴とする。
【００１６】
このような構成により、既存のＶＯＤサービスシステムを運用しながら、既設の機器を有効に活用して携帯端末からのＡＶコンテンツも視聴可能になり、サービス内容を拡充させることが可能になる。特に、乗客は携帯端末の映像を前部座席の大きなディスプレイで見ることができる。
【００１７】
また本発明のＡＶコンテンツ視聴システムは、座席端末は、映像信号を圧縮するエンコーダをさらに含み、入力端子から取り込まれた映像信号はエンコーダで圧縮され、圧縮された圧縮映像データは伝送路を経由して前部座席の座席端末に伝送され、座席端末でデコードされて映像表示部に表示されるようにしてもよい。
【００１８】
このような構成により、携帯端末から取り込まれた映像信号も圧縮されるので、映像データを自座席の座席端末から前部座席の座席端末に伝送する際、伝送路の帯域を有効に活用できる。
【００１９】
また本発明のＡＶコンテンツ視聴システムは、エンコーダは入力端子から取り込まれた映像信号をＶＯＤサーバに蓄積された圧縮映像データと同じ圧縮形式で圧縮するのが望ましい。
【００２０】
このような構成により、携帯端末から取り込まれて圧縮された映像データは座席端末に内蔵されている映像デコーダでデコードできるので、新たな回路を導入する必要がなく従来のシステムをそのまま利用できる。
【００２１】
また本発明のＡＶコンテンツ視聴システムは、座席端末は、入力端子から取り込まれた映像信号とＶＯＤサーバより配信された映像信号とを合成する映像合成部をさらに含み、映像合成部で合成された映像データはエンコーダで圧縮され、圧縮された圧縮映像データは伝送路を経由して前部座席の座席端末に伝送され、座席端末でデコードされて映像表示部に２画面で表示されるようにしてもよい。
【００２２】
このような構成により、乗客は携帯端末の映像とＶＯＤサーバから配信された映像を前部座席のディスプレイに２画面表示して同時に視聴することができる。
【００２３】
また本発明のＡＶコンテンツ視聴システムは、映像表示部で表示される映像とヘッドホンで聴取される音声が同期するように自座席の座席端末で音声データを遅延させてヘッドホンに出力してもよい。
【００２４】
このような構成により、乗客は映像に対してズレのない音声を聴くことができる。
【００２５】
また本発明のＡＶコンテンツ視聴システムは、座席端末は伝送路を経由して伝送される音声と携帯端末から取り込まれた音声を切換えてヘッドホンに出力してもよい。
【００２６】
このような構成により、乗客が携帯端末のＡＶコンテンツを視聴中にほかの重要な音声情報が伝送路を経由して流れてきた場合でも、自動的に重要な音声情報に切換わるので乗客は重要な音声情報を聞き逃すことがない。
【００２７】
また本発明のＡＶコンテンツ視聴システムは、航空機に搭載されたＡＶコンテンツ視聴システムであって、伝送路を経由して伝送される音声は機内アナウンスであってもよい。
【００２８】
このような構成により、航空機の乗客はＡＶコンテンツを視聴中に緊急の機内アナウンスがあった場合でも、機内アナウンスを聞き逃すことがなく、従来の機内エンターテインメントシステムの機能をそのまま実現できる。
【発明の効果】
【００２９】
本発明によれば、航空機などの旅客移動体において、既存のＶＯＤサービスシステムを運用しながら、既設の機器を有効に活用して携帯端末からのＡＶコンテンツも視聴可能になり、サービス内容を拡充させることが可能なＡＶコンテンツ視聴システムを提供することができる。
【発明を実施するための最良の形態】
【００３０】
以下、本発明の実施の形態について、図面を参照しながら詳しく説明する。
【００３１】
（実施の形態）
本実施の形態を、図１を参照しながら図２〜図３を用いて説明する。
【００３２】
図１は本実施の形態におけるＡＶコンテンツ視聴システム１００の全体構成を示す図である。本実施の形態のＡＶコンテンツ視聴システム１００の外観上の構成が従来のＡＶコンテンツ視聴システム２００の構成と異なる点は、携帯端末９が新たに付加されたことである。また、この携帯端末９を付加することにより、座席端末１４ｍ、１４ｎの内部構成も一部変更となる。それ以外の部分は同じであるので同一の符号を付して、既に説明した部分については説明を省略する。
【００３３】
図２は、本実施の形態におけるＡＶコンテンツ視聴システム１００の主要な構成を示す図で、図１で説明した座席１ｍ、１ｎに設置される座席端末４ｍ、４ｎとその周辺の構成を示すブロック図である。伝送路２に接続された座席端末４ｎ（前部座席）、４ｍ（自座席）を図面の点線枠で示している。
【００３４】
ＣＰＵ４１は、座席端末全体を制御するマイコンなどの中央処理装置である。このＣＰＵ４１を含み、以下に説明する構成要素は、図面に示すようにバス４０に接続され、相互に情報を交換する。ＲＯＭ４２にはＣＰＵ４１のプログラムが収納されている。
【００３５】
映像音声蓄積部４３は、ＶＯＤサーバ３から伝送路２を経由してダウンロードされたＭＰＥＧ（Ｍｏｖｉｎｇ  Ｐｉｃｔｕｒｅ  Ｅｘｐｅｒｔｓ  Ｇｒｏｕｐ）２等で圧縮された圧縮映像データや圧縮音声データを蓄積する。
【００３６】
映像デコーダ４４および音声デコーダ４５は、それぞれ映像音声蓄積部４３に蓄積された圧縮映像データおよび圧縮音声データを復号して再生するための復号器である。
【００３７】
映像デコーダ４４には、前述の映像表示部６ｍが、音声デコーダ４５にはヘッドホン端子４５ａを介して前述のヘッドホン７ｍがそれぞれ接続される。
【００３８】
なお、前述の伝送路２を介して伝送された機長や客室乗務員等からの機内アナウンスも座席端末４ｍに取り込まれてヘッドホン７ｍで聴取される。
【００３９】
コントローラインタフェース４６は、この部に接続されるコントローラ５ｍの操作に基づく指令をバス４０に送出する。
【００４０】
エンコーダ４７は、携帯端末９から外部インタフェース４８を介して取り込んだ映像信号と音声信号をそれぞれ前述のＭＰＥＧ２等の圧縮映像データや圧縮音声データと同じ圧縮データに圧縮しバス４０に送出する。
【００４１】
ネットワークインタフェース４９は、伝送路２とのインタフェースであり座席端末を識別するための固有のアドレス（ＭＡＣアドレス等）を有する。
【００４２】
携帯端末９は、図３に示すように、座席のテーブルａ等に置かれ、肘掛部ｂに設けた携帯端末用端子４８ａに接続される。ヘッドホン７ｍも同様にヘッドホン端子４５ａに接続される。
【００４３】
映像合成部５０は、外部インタフェース４８を介して携帯端末９から取り込んだ映像信号と映像デコーダ４４から出力された映像信号を合成する。これにより、乗客は携帯端末９の映画などの映像と、ＶＯＤサーバから送られてくる映像（地図などの画像を含む）とを映像表示部６ｎで合成して同時に見ることができる。この機能については後ほど詳細に説明する。
【００４４】
このような構成において、次に本実施の形態のＡＶコンテンツ視聴システム１００の動作を説明する。
【００４５】
まず、ＶＯＤサーバ３に蓄積されたＡＶコンテンツを乗客が視聴する場合について説明する。乗客が自座席のコントローラ５ｍを操作して見たいＡＶコンテンツを選択すると、選択情報は伝送路２を経由してＶＯＤサーバ３に送信され、ＶＯＤサーバ３からは該当のＡＶコンテンツが自座席（座席１ｍ）の座席端末４ｍに配信され、内部の映像音声蓄積部４３に一端蓄積される。従来のＡＶコンテンツ視聴システム２００では配信されたＡＶコンテンツは前部座席の座席端末４ｎに蓄積されていたので、この部分が本実施の形態と異なっている。
【００４６】
次に、乗客がコントローラ５ｍを操作して再生等の指示をすると、映像音声蓄積部４３に蓄積された圧縮映像データがネットワークインタフェース４９と伝送路２を介して前部座席の座席端末４ｎ宛に送出される。前部座席の座席端末４ｎにおいては、取り込んだ圧縮映像データが映像デコーダ４４で復号されて映像表示部６ｎに表示される。
【００４７】
一方、選択した圧縮音声データは、自座席の座席端末４ｍ内の音声デコーダ４５で復号化された後、自座席のヘッドホン７ｍで音声として聴取する。
【００４８】
この場合、圧縮映像データを伝送路２で伝送する時間だけ映像の表示が遅れるので、自座席の座席端末４ｍの映像音声蓄積部４３から圧縮音声データを読み出すタイミングを当該時間だけ遅らせて映像との同期を取るようにしている。この映像との同期を取る方法は、これに限定されるものではなく、映像と音声の圧縮データを同時に読み出して当該時間だけ音声のみを遅延させるための遅延回路を追加してもよい。さらに、映像と音声のデータにタイムスタンプを挿入して再生し、このタイムスタンプに基づいて遅延量を制御すればさらに正確な同期が可能となる。
【００４９】
次に、携帯端末９のＡＶコンテンツを視聴する場合について説明する。なお、ここでは携帯端末９の出力はアナログ信号として説明する。
【００５０】
乗客は、携帯端末９の出力コードを携帯端末用端子４８ａに接続して、携帯端末９を操作して好みのＡＶコンテンツを選択し、プレイ釦を押す。外部インタフェース４８に取り込まれた映像および音声信号は、エンコーダ４７でＶＯＤサービスで映像音声蓄積部４３に蓄積される圧縮映像データおよび圧縮音声データと同じ形式の圧縮データに圧縮される。その後、圧縮音声データは音声デコーダ４５において音声として復号化されてヘッドホン７ｍから出力する。
【００５１】
一方、圧縮映像データはネットワークインタフェース４９と伝送路２を介して前部座席の座席端末４ｎ宛に送出される。前部座席の座席端末４ｎにおいては、取り込んだ圧縮映像データが映像デコーダ４４で復号されて映像表示部６ｎに表示される。
【００５２】
この場合もＶＯＤサーバ３に蓄積されたＡＶコンテンツを視聴する場合と同様に、圧縮映像データを伝送路２で伝送する時間だけ映像の表示が遅れるので、自座席においての音声を遅延させて映像との同期を取るようにしている。
【００５３】
さらに、前述したように乗客は携帯端末９で再生中の映画等の映像とＶＯＤサーバ３から送られてきたＡＶコンテンツの映像または飛行情報を含む画像とを座席端末４ｍの映像合成部５０で合成して見ることができる。すなわち、座席端末４ｍの映像合成部５０で合成された映像はエンコーダ４７で圧縮映像データに変換され、伝送路２を経由して座席端末４ｎに送られ、映像デコーダ４４で復号されて映像表示部６ｎに表示される。
【００５４】
図４に映像合成部５０で合成した映像を映像表示部６ｎに表示した場合の例を示す。図４において映像表示部６ｎの左側画面には携帯端末９からの映像６１が表示され、右側画面には搭乗機の飛行状況を表す航路地図６２が表示される。このように乗客は映像表示部６ｎの１つの画面で２つの情報を視聴することが可能となり、携帯端末９の映画等のコンテンツを楽しみながら同時に飛行情報を把握できる。
【００５５】
なお、映像表示部６ｎの表示を１画面にするか２画面にするかは、乗客がコントローラ５ｍで設定してもよいし、緊急時等はパイロットや客室乗務員が強制的に設定するようにしてもよい。また、２画面表示の表示方法も図４はあくまで一例であり、同一のディスプレイ画面に２つの映像を表示できればどのような方法でもよい。
【００５６】
また、地図等の静止画情報等はデータ量も少ないので必ずしも圧縮せずにＶＯＤサーバに蓄積しておき、送られてきた画像をそのまま映像合成部５０で合成するようにしてもよい。
【００５７】
以上のように、本実施の形態では、座席端末４ｍに携帯端末９のコンテンツを取り込むための端子を設け、取り込んだ映像信号と音声信号をＶＯＤサーバ３から提供される圧縮映像データと圧縮音声データと同じ圧縮形式に変換するエンコーダを設けた構成にしたので、乗客はＶＯＤサーバ３のコンテンツと携帯端末９のコンテンツの両方を座席端末４ｎの映像デコーダ４４で復号して視聴することができる。
【００５８】
また、乗客は携帯端末９の映像を前部座席の大きなディスプレイで見ることができる。
【００５９】
また、乗客は携帯端末９の映像とＶＯＤサーバ３から配信された映像を前部座席のディスプレイに２画面表示して同時に視聴することができる。
【００６０】
さらに、携帯端末９のコンテンツを視聴している場合においても、ＶＯＤサーバ３のコンテンツを視聴しているときと同様に、機内アナウンスを聞き漏らすことがない。
【００６１】
なお、上記実施の形態では、携帯端末９からの音声信号もＶＯＤサービスと同様に圧縮するとしたが、音声信号の切換えを音声デコーダ４５の後で行い圧縮をしない構成にしてもよい。
【００６２】
また、上記実施の形態では、携帯端末９からの信号はアナログ信号であるとしたが、デジタル信号で取り込む構成にしてもよい。また、携帯端末９の内部の蓄積部に蓄積されている圧縮データの状態で直接座席端末に取り込むようにしてもよい。この場合は、映像データを再圧縮してＶＯＤサービスの圧縮形式と揃えてもよい。
【００６３】
また、上記実施の形態では、座席端末に取り込んだ映像データをＶＯＤサービスの圧縮形式と同じ形式で圧縮するとしたが、さらに圧縮率を上げて圧縮してもよい。これにより、映像データを自座席の座席端末４ｍから前部座席の座席端末４ｎに伝送する際、伝送帯域をさらに下げることができる。
【００６４】
また、携帯端末は乗客が個人用を持ち込んでもよいし、航空機会社が希望する乗客に貸し出すようにしてもよい。
【産業上の利用可能性】
【００６５】
本発明のＡＶコンテンツ視聴システムは、バス、鉄道などの車両やフェリー、客船などの船舶、などの公共交通機関に利用することができる。
【図面の簡単な説明】
【００６６】
【図１】本発明の実施の形態におけるＡＶコンテンツ視聴システムの全体構成を示す図
【図２】同ＡＶコンテンツ視聴システムの主要な構成を示す図
【図３】同ＡＶコンテンツ視聴システムの座席部の詳細を示す外観図
【図４】同ＡＶコンテンツ視聴システムの映像合成部で合成した映像を映像表示部に表示した場合の例を示す図
【図５】従来のＡＶコンテンツ視聴システムの全体構成を示す図
【符号の説明】
【００６７】
１ｍ，１ｎ    座席
２    伝送路（ネットワーク伝送路）
３    ＶＯＤサーバ
４ｍ，４ｎ，１４ｍ，１４ｎ    座席端末
５ｍ，５ｎ    コントローラ
６ｍ，６ｎ，６０    映像表示部
７ｍ，７ｎ    ヘッドホン
８    乗務員室
８ａ    マイクロホン
９    携帯端末
４０    バス
４１    ＣＰＵ（中央処理装置）
４２    ＲＯＭ
４３    映像音声蓄積部
４４    映像デコーダ
４５    音声デコーダ
４５ａ    ヘッドホン端子
４６    コントローラインタフェース
４７    エンコーダ
４８    外部インタフェース
４８ａ    携帯端末用端子
４９    ネットワークインタフェース
５０    映像合成部
６１    映像
６２    航路地図
１００，２００    ＡＶコンテンツ視聴システム
【図２】
2011135117.tif 000003
【図３】
2011135117.tif 000004
【図４】
2011135117.tif 000005
【図１】
2011135117.tif 000006
【図５】
2011135117.tif 000007